(57)【特許請求の範囲】
【請求項１】
長方形の鏡の裏面側に設けた四個のフック受部と、当該四個のフック受部に対応して取付面に取り付ける四個のフックとからなる取付具で鏡を取付面に取り付け固定するようにした鏡の固定構造であって、各フックは取付面に沿って起立する係止段部付きの挿入片を備え、各フック受部はフックの挿入片を通過させることができる四角形の開口部が開設されていると共に該開口部の四辺の開口縁部の何れもがフックの係止段部を係止させることができることを特徴とする鏡の固定構造。
【請求項２】
前記鏡が枠体に取り付けられ、前記四個のフック受部の各々が板状に形成されて当該枠体の裏面四隅に取り付けられ、各フック受部と鏡との間に、フックの挿入片を差し込むための差込空間が形成されている請求項１記載の鏡の固定構造。
【発明の詳細な説明】
【技術分野】
【０００１】
本発明は、取付面に鏡を取り付け固定する鏡の固定構造に関するものである。
【背景技術】
【０００２】
従来、鏡の固定構造は、洗面化粧台の化粧ユニット本体に形成された取付面にフック受けを固定すると共に鏡の裏面にフックを固定し、フックの受部にフックの挿入部を落し込むことで、化粧ユニット本体に長方形の鏡を縦長状態で取り付け固定するものがある。（特許文献１）
【特許文献１】実開平５−７１４６号公報
【発明の開示】
【発明が解決しようとする課題】
【０００３】
ところで、長方形の鏡の取り付け固定には、施工現場に応じて、縦長状態で固定する場合と、鏡を９０度回転させた横長状態で固定する場合とがある。ところが、前記特許文献１に記載されている鏡の固定構造は、フックの受部にフックの挿入部を落し込む方向が一通りであるため、鏡の固定姿勢を縦長状態から９０度回転させた横長状態で取り付け固定する場合には、鏡の裏面に取り付けられているフックを９０度回転させた状態に取り付け直す必要がある。また、鏡の固定姿勢を選択させることを予定している場合には、鏡の裏面にフックを取り付けずに出荷して、施工現場において鏡の裏面にフックを取り付けさせることが考えられる。しかし、施工現場において、フックを取り付け直したり、又は鏡の裏面にフックを取り付けることは、施工現場での手間が多くなる欠点がある。
【０００４】
そこで、本発明は、従来の上記欠点に鑑み創案したものであって、鏡の裏面に予め取付具を設ける場合であっても、鏡の固定姿勢を縦長状態又は横長状態のいずれも選択できる鏡の固定構造を提供することを目的とする。
【課題を解決するための手段】
【０００５】
鏡の裏面に予め取付具を設ける場合であっても、鏡の固定姿勢を縦長状態又は横長状態のいずれも選択できるようにするため請求項１記載の本発明が採用した手段は、長方形の鏡の裏面側に設けた四個のフック受部と、当該四個のフック受部に対応して取付面に取り付ける四個のフックとからなる取付具で鏡を取付面に取り付け固定するようにした鏡の固定構造であって、各フックは取付面に沿って起立する係止段部付きの挿入片を備え、各フック受部はフックの挿入片を通過させることができる四角形の開口部が開設されていると共に該開口部の四辺の開口縁部の何れもがフックの係止段部を係止させることができることを特徴とする鏡の固定構造である。なお、前記四個のフック受部は、鏡を取り付け固定した枠体の裏面隅部に設けることもある。
本発明にあっては、横長状態又は横長状態に選択された鏡に設けられている各フック受部と対応する取付面の位置にフックを取り付け固定し、鏡を取付面へ向かって移動させて各フック受部の開口部へ対応するフックの挿入片を通過させ、その後に鏡と共に四個のフック受部を落し込むことで各フック受部の開口部の何れか一辺の開口縁部に対応するフックの係止段部を係止させて鏡を取り付け固定することができる。
【０００６】
構造を簡単とするために請求項２記載の本発明が採用した手段は、前記鏡が枠体に取り付けられ、前記四個のフック受部の各々が板状に形成されて当該枠体の裏面四隅に取り付けられ、各フック受部と鏡との間に、フックの挿入片を差し込むための差込空間が形成されている請求項１記載の鏡の固定構造である。
本発明にあっては、成形の容易な板状のフック受部を枠体の裏面四隅に取り付けることで、フック受部と鏡との間に差込空間を形成できる。
【発明の効果】
【０００７】
請求項１記載の本発明に係る鏡の固定構造は、鏡に設けた各フック受部に開設された四角形の開口部の何れか一辺の開口縁部で、対応するフックの係止段部を係止させることができるため、鏡の裏面に予め取付具のフック受部を設けた状態であっても、鏡の固定姿勢を縦長状態又は横長状態のいずれも選択できることになり、施工現場において鏡の裏面にフック受部を設ける手間が不要となり、従来に比べて施工現場での手間を軽減できる。
【０００８】
請求項２記載の本発明に係る鏡の固定構造は、成形の容易な板状のフック受部を枠体の裏面四隅に取り付けた簡単な構造であるため、製造コストを低減できる。
【発明を実施するための最良の形態】
【０００９】
本発明に係る鏡の固定構造（以下、「本発明固定構造」という）を図面に示す実施形態に基づいて説明する。
【００１０】
図１乃至図１０は本発明固定構造の実施の形態を示すものであり、図１は長方形の鏡装置１０を示すものであって、（Ａ）は一部破断した裏面（背面）図、（Ｂ）は（Ａ）のｂ−ｂ線における拡大した断面図、図２はフック２１を示すものであって、（Ａ）は正面図、（Ｂ）は取付面Ｗに取り付ける前の状態を示す側面断面図、図３はフック受部２１にフック２２を係止して鏡装置１０を施工面Ｗに取り付け固定した状態を示す断面図である。図４は鏡１の固定姿勢が縦長状態となるように設置（以下、「縦設置」という。）するときに用いる縦設置用の型紙３０の正面図であり、図５乃至図７は縦設置の場合の施工手順を示すものである。図８は鏡１の固定姿勢が横長状態となるように設置（以下、「横設置」という。）するときに用いる横設置用の型紙４０の正面図であり、図９及び図１０は横設置の場合の施工手順を示すものである。
【００１１】
本発明固定構造は、図７（Ｂ）及び図１０（Ｂ）に示す如く、長方形の鏡装置１０の裏面側に設けた四個のフック受部２１と、取付面Ｗに取り付ける四個のフック２２とからなる四組の取付具２０で鏡１を取付面Ｗに取り付け固定するようにしたものであって、縦設置（図７（Ｂ）参照）と横設置（図１０（Ｂ）参照）とを簡単に選択できるようにしたものである。長方形の鏡装置１０は、図１に示す如く、木質素材や合成樹脂素材等から成形された枠体２と、枠体２の内側の四周に形成された前側段部２ａに嵌め込まれた鏡１と、枠体２の内側の四周に形成された後側段部２ｂに嵌め込まれた裏板３と、枠体２の裏面四隅に取り付けられた四個のフック受部２１とからなる。裏板３は、枠体２にビス４及び／又は接着剤で取り付け固定され、鏡１の裏面側を押圧することで、鏡１のガタツキと脱落とを防止している。長方形の鏡装置１０は、図７（Ｂ）及び図１０（Ｂ）に示す如く、鏡装置１０に予め取り付けられたフック受部２１と、施工面Ｗに取り付けられたフック２２とからなる取付具２０の四組を用いて施工面Ｗへ着脱自在に取り付け固定され、施工面Ｗに対する四個のフック２２の取り付け位置を選択することで、縦設置（図７（Ｂ）参照）又は横設置（図１０（Ｂ）参照）とすることができるようになっている。鏡装置１０を取付固定する施工面Ｗとしては、居間、玄関、廊下等の壁面、家具の外側面又は洗面化粧台の鏡取付面等が選択される。
【００１２】
前記取付具２０を構成する前記フック２２は、図２示す如く、金属又は合成樹脂等の素材から成形され、板状の取付座部２２ａと、取付座部２２ａから立ち上げて取付面Ｗに沿って起立するように延びる係止段部２２ｃ付きの挿入片２２ｂとを備え、挿入片２２ｂに押圧部２２ｄを折曲げ形成してある。フック２２は、取付座部２２ａに穿設されたビス孔２２ｅ，２２ｅへ挿通したビス５を施工面Ｗへ螺着することで、施工面Ｗに取り付け固定される。
【００１３】
前記取付具２０を構成する前記フック受部２１は、図１に示す如く、金属板又は合成樹脂板等から板状に成形され、鏡装置１０の枠体２の裏面隅部にビス６で取り付け固定され、鏡装置１０の裏板３との間に差込空間Ｓを形成している。フック受部２１は、鏡装置１０の裏板３に面する開口部２３が前記フック２２より大きい寸法で開設され、開口部２３へフック２２の全体を進入させることができるようになっている。フック受部２１は、開口部２３を介して差込空間Ｓへフック２２の挿入片２２ｂが差し込まれると、四辺からなる開口縁部２３ａの何れの辺にもフック２２の係止段部２２ｃを係止させることができるようにしてあり（図３参照）、長方形の鏡装置１０を施工する際の鏡装置１０の固定姿勢（縦設置又は横設置）によって、フック２２の係止段部２２ｃを係止させる開口縁部２３ａの辺が必然的に決まるようになっている。開口部２３は、開口縁部２３ａの一辺の寸法Ａ，Ｂをフック２２の挿入片２２ｂの幅寸法Ｃ（図３参照）よりも大きくすることで、施工面Ｗにフック２２を取り付けるときの取付誤差を吸収できるようにしてある。開口部２３は、正方形に形成されるか、鏡装置１０の長手方向に沿って若干長い長方形に形成され、鏡装置１０の長手方向に沿って離れて取り付けられるフック２２，２２の大きくなる取付誤差を考慮することもある。四個のフック受部２１は、枠体２の長い外側面２ｃから開口部２３の開口縁部２３ａまでの寸法Ｆと、短い外側面２ｄから開口縁部２３ａまでの寸法Ｅとを同一となるようにして枠体２に取り付け固定されており、鏡装置１０の天地を考慮することなくフック２２を係止させることができるようになっている。
【００１４】
長方形の鏡装置１０を縦設置するときに用いる縦設置用の型紙３０は、図４に示す如く、横方向に長い切取り線３１，３２と、設置したい鏡装置１０の四隅の位置を示す四つの設置コーナ線３３と、フック２２を取り付けるビスの位置を示す二つのビス指示線３４，３４を一組とするマーカの四組と、施工面Ｗへ鏡装置１０を最初に近づけるときの鏡装置１０の上方の二隅の位置を示す二つの初期合わせコーナ線３５とが描かれている。上方の切取り線３１は、初期合わせコーナ線３５，３５と上方の設置コーナ線３３，３３との中間に描かれ、下方の切取り線３２は、上方のビス指示線３４，３４と下方のビス指示線３４，３４との中間に描かれている。
【００１５】
次に、鏡装置１０を縦設置するときの施工手順を説明する。先ず、縦設置用の型紙３０を下方の切取り線３２で切断分離し、図５（Ａ）に示す如く、鏡装置１０を取り付けたい施工面Ｗの所望箇所に分離した型紙３０の上側型紙３０ａと下側型紙３０ｂとを養生テープ（剥がすときに施工面を傷つけないもの）３６で貼り付ける等して固定する。このとき、上側型紙３０ａの設置コーナ線３３，３３と下側型紙３０ａの設置コーナ線３３，３３との上下間隔Ｈが指定寸法となるように固定する。次に、四組のマーカの各ビス指示線３４にキリ等を差し込んで、施工面Ｗに各ビス位置印Ｄを付けた後に、同図（Ｂ）に示す如く、型紙３０の下側型紙３０ｂを撤去すると共に、上側型紙３０ａの上方の切取り線３１で切断分離して、養生テープ等で固定されていない下方の部分を撤去する。
【００１６】
続けて、図６に示す如く、施工面Ｗに印された各ビス位置印Ｄ（図５（Ｂ））に、フック２２のビス孔２２ｅ，２２ｅ（図２参照）へ挿通した各ビス５を螺着して、施工面Ｗの所定位置に四個のフック２２を取り付け固定する。最後に、図７（Ａ）に示す如く、型紙３０の上側型紙３０ａに描かれている二つの初期合わせコーナ線３５，３５に縦長姿勢の鏡装置１０の枠体２の上方の両隅部を合わせるように、施工面Ｗへ向かって鏡装置１０を移動させて、移動する鏡装置１０の四個のフック受部２１の対応する開口部２３に施工面Ｗ上の四個のフック２２を進入させ、その後に、鏡装置１０を下方へ押し込んで、同図（Ｂ）に示す如く、各開口部２３を通過した各フック２２の挿入片２２ｂを差込空間Ｓ側へ差し込ませることで、フック受部２１の開口縁部２３ａ（図３参照）の一辺にフック２２の係止段部２２ｃを係止させて鏡装置１０を取り付け固定し、型紙３０の上側型紙３０ａを撤去して作業を完了する。
【００１７】
長方形の鏡装置１０を横設置するときに用いる横設置用の型紙４０は、図８に示す如く、縦方向に長い切取り線４１及び横方向に長い切取り線４２と、設置したい鏡装置１０の四隅の位置を示す四つの設置コーナ線４３と、フック２２を取り付けるビスの位置を示す二つのビス指示線４４，４４を一組とするマーカの四組と、施工面へ鏡装置１０を最初に近づけるときの鏡装置１０の上方の二隅の位置を示す二つの初期合わせコーナ線４５とが描かれている。横方向の切取り線４２は、上方の初期合わせコーナ線４５，４５と下方の設置コーナ線４３，３３との中間に描かれ、縦方向の切取り線４１は、左側のビス指示線４４，４４と右側のビス指示線４４，４４との中間に描かれている。なお、一枚の紙の一方面に横設置用の型紙４０を描くと共に、他方面に前記縦設置用の型紙３０（図４参照）を描くは、可能である。
【００１８】
次に、鏡装置１０を横設置するときの施工手順を説明する。先ず、横設置用の型紙４０を縦方向の切取り線４２で切断分離し、図９（Ａ）に示す如く、鏡装置１０を取り付けたい施工面Ｗの箇所に分離した型紙４０の左側型紙４０ａと右側型紙４０ｂとを養生テープ３６で貼り付ける等して固定する。このとき、左側型紙４０ａの設置コーナ線４３，４３と右側型紙４０ａの設置コーナ線４３，４３との左右間隔Ｌが指定寸法となるように固定する。次に、四組のマーカの各ビス指示線４４にキリ等を差し込んで、施工面Ｗに各ビス位置印Ｄを付けた後に、同図（Ｂ）に示す如く、左側型紙４０ａ及び右側型紙４０ｂの各切取り線４２で切断分離して各々の下方部分を撤去する。
【００１９】
続けて、図１０（Ａ）に示す如く、施工面Ｗに印された各ビス位置印Ｄ（図９（Ｂ））に、フック２２のビス孔２２ｅ，２２ｅ（図２参照）へ挿通した各ビス５を螺着して、施工面Ｗの所定位置に四個のフック２２を取り付け固定する。最後に、型紙４０の左側型紙４０ａ及び右側型紙４０ｂに描かれている二つの初期合わせコーナ線４５，４５に横長姿勢の鏡装置１０の枠体２の上方の両隅部を合わせるように、施工面Ｗへ向かって鏡装置１０（図示略）を移動させて、移動する鏡装置１０の四個のフック受部２１の開口部２３に施工面Ｗ上の四個のフック２２を進入させ、その後に、鏡装置１０を下方へ押し込んで、同図（Ｂ）に示す如く、各開口部２３を通過した各フック２２の挿入片２２ｂを差込空間Ｓ側へ差し込ませることで、フック受部２１の開口縁部２３ａ（図３参照）の一辺にフック２２の係止段部２２ｃを係止させて鏡装置１０を取り付け固定し、左側型紙４０ａ及び右側型紙４０ｂの上半部分を撤去して作業を完了する。
【００２０】
本発明固定構造は、横長状態又は横長状態に選択された鏡装置１０に設けられている各フック受部２１と対応する取付面Ｗの位置にフック２２を取り付け固定し、鏡装置１０を取付面Ｗへ向かって移動させて各フック受部２１の開口部２３へ対応するフック２２の挿入片２２ｂを通過させ、その後に鏡装置１０と共に四個のフック受部２１を落し込むことで各フック受部２１の開口部２３の何れか一辺の開口縁部２３ａに対応するフック２２の係止段部２２ｃを係止させて鏡装置１０を取り付け固定することができる。このように本発明固定構造は、鏡装置１０に設けた各フック受部２１に開設された四角形の開口部２３の何れか一辺の開口縁部２３ａで、対応するフック２２の係止段部２２ｃを係止させることができるため、鏡装置１０の裏面に予め取付具のフック受部２１を設けた状態であっても、鏡１の固定姿勢を縦長状態又は横長状態のいずれも選択できることになり、施工現場において鏡装置１０の裏面にフック受部２１を設ける手間が不要となり、従来に比べて施工現場での手間を軽減できる。
【００２１】
（その他の実施の形態）
本発明固定構造は、鏡装置１０の枠体２に各フック２２を取り付け固定したものに限定するものではなく、図示は省略しが、鏡１の裏面側四隅に、開口部２３を開設した各フックを直接取り付け固定し、鏡１と各フックとの間に差込空間Ｓを形成する構成とすることも勿論可能である。
【図面の簡単な説明】
【００２２】
【図１】長方形の鏡装置を示すものであって、（Ａ）は一部破断した裏面（背面）図、（Ｂ）は（Ａ）のｂ−ｂ線における拡大した断面図である。
【図２】フックを示すものであって、（Ａ）は正面図、（Ｂ）は取付面に取り付ける前の状態を示す側面断面図である。
【図３】フック受部にフックを係止した状態を示す断面図である。
【図４】施工時に用いる縦設置用の型紙の正面図である。
【図５】縦設置する場合の施工手順を示すものでって、（Ａ）は施工面の施工位置に縦設置用の型紙を止め着けた状態の正面図、（Ｂ）は施工面にフックを取り付けるビスの位置がマーキングされた状態の正面図である。
【図６】同施工手順を示すものでって、施工面にフックを取り付け固定した状態の正面図である。
【図７】同施工手順を示すものでって、（Ａ）は施工面に固定した四個のフックに鏡装置の裏面側に設けられている四個のフック受部を係止させる前の状態を示す斜視図、（Ｂ）は施工面に鏡装置を固定した状態を示す正面図である。
【図８】横設置用の型紙の正面図である。
【図９】横設置する場合の施工手順を示すものでって、（Ａ）は施工面の施工位置に横設置用の型紙を止め着けた状態の正面図、（Ｂ）は施工面にフックを取り付けるビスの位置がマーキングされた状態の正面図である。
【図１０】同施工手順を示すものでって、施工面にフックを取り付け固定した状態の正面図、（Ｂ）は施工面に鏡装置を固定した状態を示す正面図である。
【符号の説明】
【００２３】
１…鏡、１０…長方形の鏡装置、２０…取付具、２１…フック受部、２２…フック、２２ｂ…挿入片、２２ｃ…係止段部、２３…開口部、２３ａ…開口縁部、Ｗ…取付面
【図１】
0004817863.tif 000002
【図２】
0004817863.tif 000003
【図３】
0004817863.tif 000004
【図４】
0004817863.tif 000005
【図５】
0004817863.tif 000006
【図６】
0004817863.tif 000007
【図７】
0004817863.tif 000008
【図８】
0004817863.tif 000009
【図９】
0004817863.tif 000010
【図１０】
0004817863.tif 000011